(57)【要約】【解決手段】  薬品保冷庫に収納され、制御装置によって管理される薬品収納ボックスであって、ＩＣタグが取り付けられた薬品を収納する収納部と、前記ＩＣタグの情報を受信するアンテナと、を備える。
2020026602.tif 000002
【特許請求の範囲】
【請求項１】
薬品保冷庫に収納され、制御装置によって管理される薬品収納ボックスであって、
ＩＣタグが取り付けられた薬品を収納する収納部と、
前記ＩＣタグの情報を受信するアンテナと、
を備えたことを特徴とする薬品収納ボックス。
【請求項２】
前記アンテナは、前記収納部を囲む複数の平板のうち、少なくとも１つの平板に取り付けられることを特徴とする請求項１に記載の薬品収納ボックス。
【請求項３】
前記アンテナの前記収納部に臨む側のアンテナ面が、前記少なくとも１つの平板の前記収納部を囲む側の面から突出しないように、前記アンテナは、前記少なくとも１つの平板に取り付けられる
ことを特徴とする請求項２に記載の薬品収納ボックス。
【請求項４】
前記アンテナの前記収納部に臨む側のアンテナ面が、前記少なくとも１つの平板の前記収納部を囲む側の面から奥まるように、前記アンテナは、前記少なくとも１つの平板に取り付けられる
ことを特徴とする請求項３に記載の薬品収納ボックス。
【請求項５】
前記薬品を前記収納部に収納したときに、前記ＩＣタグが前記アンテナ面及び前記収納部を囲む複数の平板と接触することがないように、前記少なくとも１つの平板の方向への前記薬品の移動を規制する規制部材
を備えたことを特徴とする請求項２〜４の何れか一項に記載の薬品収納ボックス。
【請求項６】
前記アンテナは、前記収納部を囲む前記複数の平板のうち、第１平板に取り付けられる第１アンテナと、前記第１平板とは垂直の関係を有する第２平板に取り付けられる第２アンテナと、を含む
ことを特徴とする請求項２に記載の薬品収納ボックス。
【請求項７】
前記第１アンテナの前記収納部に臨む側のアンテナ面が、前記第１平板の前記収納部を囲む側の面から突出しないように、前記第１アンテナは、前記第１平板に取り付けられ、
前記第２アンテナの前記収納部に臨む側のアンテナ面が、前記第２平板の前記収納部を囲む側の面から突出しないように、前記第２アンテナは、前記第２平板に取り付けられる
ことを特徴とする請求項６に記載の薬品収納ボックス。
【請求項８】
前記第１アンテナの前記収納部に臨む側のアンテナ面が、前記第１平板の前記収納部を囲む側の面から奥まるように、前記第１アンテナは、前記第１平板に取り付けられ、
前記第２アンテナの前記収納部に臨む側のアンテナ面が、前記第２平板の前記収納部を囲む側の面から奥まるように、前記第２アンテナは、前記第２平板に取り付けられる
ことを特徴とする請求項７に記載の薬品収納ボックス。
【請求項９】
前記薬品を前記収納部に収納したときに、前記ＩＣタグが前記アンテナ面及び前記収納部を囲む複数の平板と接触することがないように、前記第１及び第２平板の方向への前記薬品の移動をそれぞれ規制する第１及び第２規制部材
を備えたことを特徴とする請求項６〜８の何れか一項に記載の薬品収納ボックス。
【請求項１０】
前記第１平板は、背面板であり、
前記第２平板は、側面板である
ことを特徴とする請求項６〜９の何れか一項に記載の薬品収納ボックス。
【請求項１１】
前記第１アンテナ及び前記第２アンテナを前記制御装置に接続するための接続部、
を更に備えたことを特徴とする請求項６〜１０の何れか一項に記載の薬品収納ボックス。
【請求項１２】
前記複数の平板は、
前記収納部を囲む側の面とは反対側の面を窪ませて形成される窪み部と、
前記窪み部に収まるように設けられる補強部材と、
を有することを特徴とする請求項２〜１１の何れか一項に記載の薬品収納ボックス。
【請求項１３】
前記補強部材は、格子形状を呈する
ことを特徴とする請求項１２に記載の薬品収納ボックス。
【請求項１４】
前記収納部を囲む前記複数の平板のうち、少なくとも１つの平板は、電波を遮蔽する部材を含む
ことを特徴とする請求項２〜１３の何れか一項に記載の薬品収納ボックス。
【請求項１５】
前記電波を遮蔽する部材は、前記収納部を囲む内側の表面に凹凸形状を呈する
ことを特徴とする請求項１４に記載の薬品収納ボックス。
【請求項１６】
前記収納部を囲む複数の平板のうち、少なくとも１つの平板は、前記収納部内の容積を変更することができるように、他の平板に対してスライド自在な形状を呈する
ことを特徴とする請求項１〜１５の何れか一項に記載の薬品収納ボックス。
【請求項１７】
前記収納部を囲む前記複数の平板のうち、前記薬品が載置される底面板は、前記アンテナのアンテナ面とは垂直の関係を有する位置から傾斜した形状を呈する
ことを特徴とする請求項２〜１６の何れか一項に記載の薬品収納ボックス。
【請求項１８】
前記収納部を囲む前記複数の平板のうち天面板は、複数の側面板に対して着脱自在な形状を呈する
ことを特徴とする請求項２〜１７の何れか一項に記載の薬品収納ボックス。
【請求項１９】
前記収納部に前記薬品を複数収納する
ことを特徴とする請求項１〜１８の何れか一項に記載の薬品収納ボックス。
【請求項２０】
前記収納部に前記薬品を複数収納することができるように、前記収納部を区画する仕切り板
を更に備えたことを特徴とする請求項１９に記載の薬品収納ボックス。
【請求項２１】
前記仕切り板は、前記区画の位置又は容積を変更することができるように、前記収納部に対して着脱自在な形状を呈する
ことを特徴とする請求項２０に記載の薬品収納ボックス。
【請求項２２】
前記薬品を収納し、前記収納部に対して出し入れ自在に収納されるトレイ
を更に備えたことを特徴とする請求項２〜１５の何れか一項に記載の薬品収納ボックス。
【請求項２３】
前記トレイの底面板は、前記アンテナのアンテナ面とは垂直の関係を有する位置から傾斜した形状を呈する
ことを特徴とする請求項２２に記載の薬品収納ボックス。
【請求項２４】
前記トレイに前記薬品を複数収納することができるように、前記トレイを区画する仕切り板
を更に備えたことを特徴とする請求項２２又は２３に記載の薬品収納ボックス。
【請求項２５】
前記仕切り板は、前記区画の位置又は容積を変更することができるように、前記トレイに対して着脱自在な形状を呈する
ことを特徴とする請求項２４に記載の薬品収納ボックス。
【請求項２６】
前記薬品収納ボックスは、前記薬品保冷庫に複数収納され、単一の前記制御装置によって管理される
ことを特徴とする請求項１〜２５の何れか一項に記載の薬品収納ボックス。
【発明の詳細な説明】
【技術分野】
【０００１】
本発明は、薬品収納ボックスに関する。
【背景技術】
【０００２】
例えば、予め定められた保管温度の環境下において薬品を保管する薬品保冷庫が知られている（例えば特許文献１を参照）。
【先行技術文献】
【特許文献】
【０００３】
【特許文献１】特開２０００−１０５１４９号公報
【発明の概要】
【発明が解決しようとする課題】
【０００４】
しかし、薬品保冷庫内の薬品は、予め定められた保管温度の環境下に置かれるが、入出庫の情報が十分に管理されていないのが現状である。そのため、医療機関等において、必要十分な薬品の管理をできなくなる虞があった。【０００５】
そこで、本発明は、薬品保冷庫に収納され、薬品の入出庫情報等を管理することが可能な汎用的な薬品収納ボックスを提供することを目的とする。
【課題を解決するための手段】
【０００６】
前述した課題を解決する主たる本発明は、薬品保冷庫に収納され、制御装置によって管理される収納ボックスであって、ＩＣタグが取り付けられた薬品を収納する収納部と、前記ＩＣタグの情報を受信するアンテナと、を備える。【０００７】
本発明の他の特徴については、添付図面及び本明細書の記載により明らかとなる。
【発明の効果】
【０００８】
本発明によれば、薬品保冷庫に薬品収納ボックスを収納することによって、薬品の入出庫情報等を管理することが可能となる。
【図面の簡単な説明】
【０００９】
【図１】本実施形態に係る薬品収納ボックスが収納される薬品保冷庫の一例を示す斜視図である。
【図２】図１の薬品保冷庫に対して本実施形態に係る薬品収納ボックスを出し入れする様子を示す斜視図である。
【図３】本実施形態に係る薬品収納ボックスの一例（第１実施例）を示す斜視図である。
【図４】本実施形態に係る薬品収納ボックスの他の例（第２実施例）を示す斜視図である。
【図５】本実施形態に係る薬品収納ボックスにおいて、アンテナの接続線を外部に導出する接続部の一例を示す平面図である。
【図６】本実施形態に係る薬品収納ボックスの他の例（第３実施例）を示す斜視図である。
【図７】本実施形態に係る薬品収納ボックスの他の例（第４実施例）を示す分解斜視図である。
【図８】図７に示す薬品収納ボックスの幅を狭めた様子を示す斜視図である。
【図９】図７に示す薬品収納ボックスの幅を広げた様子を示す斜視図である。
【図１０】本実施形態に係る薬品収納ボックスの他の例（第５実施例）を示す斜視図である。
【図１１】本実施形態に係る薬品収納ボックスの他の例（第６実施例）を示す斜視図である。
【図１２】本実施形態に係る薬品収納ボックスの他の例（第７実施例）を示す分解斜視図である。
【図１３】図１２に示す薬品収納ボックスを示す斜視図である。
【図１４】本実施形態に係る薬品収納ボックスの他の例（第８実施例）を示す分解斜視図である。
【図１５】図１４に示す薬品収納ボックスを示す斜視図である。
【図１６】本実施形態に係る薬品収納ボックスの他の例（第９実施例）を示す斜視図である。
【図１７】本実施形態に係る薬品収納ボックスの他の例（第１０実施例）を示す斜視図である。
【図１８】本実施形態に係る薬品収納ボックスの他の例（第１１実施例）を示す分解斜視図である。
【図１９】図１８に示す薬品収納ボックスを示す斜視図である。
【図２０】本実施形態に係る薬品収納ボックスの他の例（第１２実施例）を示す分解斜視図である。
【図２１】図２０に示す薬品収納ボックスを示す斜視図である。
【図２２】本実施形態に係る薬品収納ボックスが用いられる薬品管理システムの一例を示すブロック図である。
【図２３】本実施形態に係る薬品収納ボックスの一例であって、薬品収納ボックスの幅を狭めた様子を示す斜視図である。
【図２４】図２３の薬品収納ボックスを上面から底面板へ向かって眺めた様子を示す平面図である。
【図２５】図２３の薬品収納ボックスを底面板から上面へ向かって眺めた様子を示す平面図である。
【図２６】図２３の薬品収納ボックスを正面から背面へ向かって眺めた様子を示す平面図である。
【図２７】本実施形態に係る薬品収納ボックスの一例であって、薬品収納ボックスの幅を広げた様子を示す斜視図である。
【図２８】図２７の薬品収納ボックスを上面から底面板へ向かって眺めた様子を示す平面図である。
【図２９】図２７の薬品収納ボックスを底面板から上面へ向かって眺めた様子を示す平面図である。
【図３０】図２７の薬品収納ボックスを正面から背面へ向かって眺めた様子を示す平面図である。
【発明を実施するための形態】
【００１０】
本明細書および添付図面の記載により、少なくとも以下の事項が明らかとなる。
【００１１】
＝＝＝薬品保冷庫＝＝＝
図１は、本実施形態に係る薬品収納ボックスが収納される薬品保冷庫の一例を示す斜視図である。図２は、図１の薬品保冷庫に対して本実施形態に係る薬品収納ボックスを出し入れする様子を示す斜視図である。
【００１２】
薬品保冷庫１００は、例えば医療機関に設置され、医薬品卸を介して提供される製薬メーカーの薬品（医薬品）を収納して予め定められた温度で保冷する装置である。
【００１３】
薬品保冷庫１００は、外箱１１０、内箱１２０、機械室１３０、扉１４０を含んで構成されている。
【００１４】
外箱１１０は、直方体形状を呈し、薬品を搬入又は搬出するための開口１１１を前面に有している。内箱１２０は、直方体形状を呈し、開口１１１に連通する開口１２１を前面に有し、断熱材を介して外箱１１０内に設置されている。内箱１２０には、薬品を収納するための棚１２２が複数設置されている。棚１２２は、通気を確保するために、例えば網目形状を呈している。機械室１３０は、外箱１１０の内箱１２０よりも下側の位置に形成され、内箱１２０内を保冷するための冷却装置（不図示）が設置されている。冷却装置は、例えば圧縮機、凝縮器、蒸発器等によって冷媒を循環させる装置であって、予め定められた保冷温度の空気が内箱１２０内を循環するように、内箱１２０と接続されている。扉１４０は、内箱１２０内を確認するためのガラス窓１４１を有し、外箱１１０の開口１１１に対してスライド自在に装着されている。扉１４０を閉じることによって、内箱１２０内を密閉空間として薬品を保冷することが可能となる。
【００１５】
尚、本実施形態では、管理対象の薬品が収納される薬品収納ボックスが、薬品保冷庫１００における内箱１２０内の棚１２２に対して、開口１１１，１２１を通して出し入れ自在に載置されることとする。薬品収納ボックスの詳細については後述する。
【００１６】
＝＝＝薬品収納ボックス＝＝＝
＜第１実施例＞
図３は、本実施形態に係る薬品収納ボックスの一例を示す斜視図である。図３において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００１７】
薬品収納ボックス２００は、管理対象の薬品３００を収納するためのボックスである。
【００１８】
薬品収納ボックス２００は、収納部２１０及びアンテナ２２０を含んで構成されている。
【００１９】
収納部２１０は、底面板２１１、側面板２１２，２１３、背面板２１４の合計４枚の平板で囲まれることによって形成される。収納部２１０は、例えば、樹脂材料を用いて底面板２１１、側面板２１２，２１３、背面板２１４が一体となるように金型成型によって形成されてもよい。或いは、収納部２１０は、例えば、樹脂材料を用いて底面板２１１、側面板２１２，２１３、背面板２１４を金型成型によって個別に形成した後、底面板２１１、側面板２１２，２１３、背面板２１４を接着剤等によって接着することによって形成されてもよい。収納部２１０は、収納部２１０内に収納されている薬品３００が内箱１２０内を循環する空気によって効果的に保冷されるように、底面板２１１、側面板２１２，２１３、背面板２１４のそれぞれに通気孔２１５を複数有している。
【００２０】
薬品３００には、当該薬品３００を識別するためのＩＣタグ３１０が貼付される。本実施形態において、ＩＣタグ３１０は、例えばループコイル及びＩＣチップを有するパッシブ型のＲＦＩＣタグであることとする。ＩＣチップには、薬品３００を示すＩＤ情報（品名、製造元コード、有効期限等）が予め記憶されている。
【００２１】
アンテナ２２０は、収納部２１０内に電波を発信することによって、薬品３００に貼付されているＩＣタグ３１０内のＩＣチップを起動し、薬品３００を示すＩＤ情報を受信する装置である。アンテナ２２０によって受信されたＩＤ情報は、後述する制御装置によって、薬品３００の入出庫時刻及び保冷温度を示す情報と紐付けて管理される。アンテナ２２０は、平板形状を呈し、例えば、側面板２１２の側面板２１３と対向する面に取り付けられている。
【００２２】
そして、薬品３００を薬品収納ボックス２００に収納し、薬品収納ボックス２００を薬品保冷庫１００に収納することによって、薬品３００及び当該薬品３００を収納する薬品収納ボックス２００を管理することが可能となる。又、薬品収納ボックス２００はアンテナ２２０と対応付けられているため、薬品収納ボックス２００を特定することが可能である。そこで、薬品３００を種類ごと、医薬品卸ごと、製薬メーカーごと等に分けて複数の薬品収納ボックス２００に収納し、複数の薬品収納ボックス２００を薬品保冷庫１００に収納することによって、薬品３００及び当該薬品３００を収納する薬品収納ボックス２００を管理することも可能となる。又、薬品収納ボックス２００を収納する対象として、医療機関等に既設の薬品保冷庫１００を使用することも可能となる。
【００２３】
＜第２実施例＞
図４は、本実施形態に係る薬品収納ボックスの他の例を示す斜視図である。図４において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。図５は、本実施形態に係る薬品収納ボックスにおいて、アンテナの接続線を外部に導出する接続部の一例を示す平面図である。尚、第２実施例において、第１実施例と同一の構成については、同一番号を記すとともに説明を省略する。
【００２４】
薬品収納ボックス４００は、管理対象の薬品３００を収納するためのボックスである。
【００２５】
薬品収納ボックス４００は、収納部２１０及びアンテナ２２０，２３０を含んで構成されている。
【００２６】
アンテナ２２０，２３０は、収納部２１０内に電波を発信することによって、薬品３００に貼付されているＩＣタグ３１０内のＩＣチップを起動し、薬品３００を示すＩＤ情報を受信する装置である。アンテナ２２０，２３０によって受信されたＩＤ情報は、後述する制御装置によって、薬品３００の入出庫時刻及び保冷温度を示す情報と紐付けて管理される。
【００２７】
第１実施例の場合、アンテナ２２０の側面板２１３に対向する面とＩＣタグ３１０の面とが垂直の位置関係となるように、薬品３００が薬品収納ボックス２００に収納されてしまうと、アンテナ２２０から発信する電波がＩＣタグ３１０内のループコイルと鎖交しなくなって、アンテナ２２０はＩＣタグ３１０内のＩＣチップから薬品３００を示すＩＤ情報を正しく受信できなくなる虞がある。具体的には、ＩＣタグ３１０の面がＸ軸及びＺ軸からなる面に沿うように、薬品３００が薬品収納ボックス２００に収納されてしまうと、アンテナ２２０の側面板２１３に対向する面（Ｙ軸及びＺ軸からなる面に沿う面）とＩＣタグ３１０の面（Ｘ軸及びＺ軸からなる面に沿う面）とが垂直の位置関係となるため、アンテナ２２０はＩＣタグ３１０内のＩＣチップから薬品３００を示すＩＤ情報を正しく受信できなくなる虞がある。例えば、薬品３００がバイアル瓶に封入され、ＩＣタグ３１０がバイアル瓶の側面に貼付されるような場合、上記の問題は顕著となる。
【００２８】
そこで、アンテナ２３０は、平板形状を呈し、背面板２１４の側面板２１２，２１３で挟まれる面に取り付けられている。これによって、アンテナ２２０の面（Ｙ軸及びＺ軸からなる面に沿う面）とアンテナ２３０の面（Ｘ軸及びＺ軸からなる面に沿う面）とが垂直の位置関係となるため、薬品３００がＺ軸を中心として如何なる方向を向いて収納されたとしても、ＩＣタグ３１０内のＩＣチップから薬品３００を示すＩＤ情報を正しく受信することが可能となる。
【００２９】
アンテナ２２０の接続線（通信線）２２１と、アンテナ２３０の接続線（通信線）２３１とは、薬品収納ボックス４００の出し入れの支障とならないように、例えば、薬品保冷庫１００の奥側の隅に設けられたコネクタ１５０を介して外部の制御装置に接続される。コネクタ１５０を抜き差しすることによって、薬品収納ボックス４００を容易に出し入れすることが可能となる。
【００３０】
＜第３実施例＞
図６は、本実施形態に係る薬品収納ボックスの他の例を示す斜視図である。図６において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。尚、第３実施例において、第２実施例と同一の構成については、同一の番号を記すとともに説明を省略する。
【００３１】
薬品収納ボックス５００は、管理対象の薬品３００を収納するためのボックスである。
【００３２】
薬品収納ボックス５００は、収納部２１０、アンテナ２２０，２３０、遮蔽板２４０を含んで構成されている。
【００３３】
遮蔽板２４０は、アンテナ２２０，２３０から発信する電波を反射する金属板である。遮蔽板２４０は、例えば、側面板２１３の側面板２１２と対向する面（アンテナ２２０，２３０が取り付けられていない面）に取り付けられている。遮蔽板２４０の側面板２１２と対向する面には、小径の窪み２４１が複数形成されている。そして、アンテナ２２０，２３０から発信する電波が窪み２４１を介して乱反射することによって、アンテナ２２０，２３０から発信する電波がＩＣタグ３１０内のループコイルと鎖交する可能性を高めることが可能となる。
【００３４】
尚、遮蔽板２４０は側面板２１３に取り付けられているが、側面板２１３自体が遮蔽板２４０であってもよい。
【００３５】
＜第４実施例＞
図７は、本実施形態に係る薬品収納ボックスの他の例を示す分解斜視図である。図８は、図７に示す薬品収納ボックスの幅を狭めた様子を示す斜視図である。図９は、図７に示す薬品収納ボックスの幅を広げた様子を示す斜視図である。図７〜図９において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００３６】
薬品収納ボックス６００は、管理対象の薬品３００を収納するためのボックスである。
【００３７】
薬品収納ボックス６００は、内箱１２０内の容積や内箱１２０内に収納するべき薬品収納ボックスの数等に応じて、幅（Ｘ軸に沿う方向）を変更することが可能な構成となっている。
【００３８】
薬品収納ボックス６００は、収納部６１０及びアンテナ６２０，６３０を含んで構成されている。
【００３９】
収納部６１０は、薬品収納ボックス６００の幅を変更（容積を変更）するために、第１収納部６１０Ａ及び第２収納部６１０Ｂを組み合わせて形成される。
【００４０】
第１収納部６１０Ａは、底面板６１１Ａ、側面板６１２Ａ、背面板６１３Ａの合計３枚の平板で囲まれることによって形成される。底面板６１１Ａは、第２収納部６１０ＢがＸ軸に沿ってスライドするための溝６１４Ａを有し、背面板６１３Ａは、第２収納部６１０ＢがＸ軸に沿ってスライドするための溝６１５Ａを有している。第１収納部６１０Ａは、例えば、樹脂材料を用いて底面板６１１Ａ、側面板６１２Ａ、背面板６１３Ａが一体となるように金型成型によって形成されてもよい。或いは、第１収納部６１０Ａは、例えば、樹脂材料を用いて底面板６１１Ａ、側面板６１２Ａ、背面板６１３Ａを金型成型によって個別に形成した後、底面板６１１Ａ、側面板６１２Ａ、背面板６１３Ａを接着剤等によって接着することによって形成されてもよい。
【００４１】
第２収納部６１０Ｂは、底面板６１１Ｂ、側面板６１２Ｂ、背面板６１３Ｂの合計３枚の平板で囲まれるように形成される。底面板６１１Ｂは、溝６１４Ａ内をスライドするように溝６１４Ａに挿入され、背面板６１３Ｂは、溝６１５Ａ内をスライドするように溝６１５Ａに挿入される。第２収納部６１０Ｂは、例えば、樹脂材料を用いて底面板６１１Ｂ、側面板６１２Ｂ、背面板６１３Ｂが一体となるように金型成型によって形成されてもよい。或いは、第２収納部６１０Ｂは、例えば、樹脂材料を用いて底面板６１１Ｂ、側面板６１２Ｂ、背面板６１３Ｂを金型成型によって個別に形成した後、底面板６１１Ｂ、側面板６１２Ｂ、背面板６１３Ｂを接着剤等によって接着することによって形成されてもよい。
【００４２】
このように、底面板６１１Ａの溝６１４Ａに底面板６１１Ｂを挿入するとともに、背面板６１３Ａの溝６１５Ａに背面板６１５Ｂを挿入することによって、収納部６１０が形成される。そして、第２収納部６１０Ｂを第１収納部６１０Ａから離れる方向（−Ｘ方向）にスライドさせると、収納部６１０の幅が広がって収納部６１０の容積は大きくなり、一方、第２収納部６１０Ｂを第１収納部６１０Ａに近づく方向（＋Ｘ方向）にスライドさせると、収納部６１０の幅が狭まって収納部６１０の容積は小さくなる。
【００４３】
第１収納部６１０Ａは、収納部６１０内に収納されている薬品３００が内箱１２０内を循環する空気によって効果的に保冷されるように、底面板６１１Ａ、側面板６１２Ａ、背面板６１３Ａのそれぞれに通気孔６１６Ａを複数有している。第２収納部６１０Ｂは、収納部６１０内に収納されている薬品３００が内箱１２０内を循環する空気によって効果的に保冷されるように、底面板６１１Ｂ、側面板６１２Ｂ、背面板６１３Ｂのそれぞれに通気孔６１６Ｂを複数有している。
【００４４】
アンテナ６２０，６３０は、収納部６１０内に電波を発信することによって、薬品３００に貼付されているＩＣタグ３１０内のＩＣチップを起動し、薬品３００を示すＩＤ情報を受信する装置である。アンテナ６２０，６３０によって受信されたＩＤ情報は、後述する制御装置によって、薬品３００の入出庫時刻及び保冷温度を示す情報と紐付けて管理される。
【００４５】
アンテナ６２０は、平板形状を呈し、例えば、側面板６１２Ａの側面板６１２Ｂと対向する面に取り付けられている。アンテナ６３０は、平板形状を呈し、背面板６１３Ａの側面板６１２Ａ，６１２Ｂで挟まれる面に取り付けられている。これによって、アンテナ６２０の面（Ｙ軸及びＺ軸からなる面に沿う面）とアンテナ６３０の面（Ｘ軸及びＺ軸からなる面に沿う面）とが垂直の位置関係となるため、薬品３００がＺ軸を中心として如何なる方向を向いて収納されたとしても、ＩＣタグ３１０内のＩＣチップから薬品３００を示すＩＤ情報を正しく受信することが可能となる。
【００４６】
そして、薬品３００を薬品収納ボックス６００に収納し、薬品収納ボックス６００を薬品保冷庫１００に収納することによって、薬品３００及び当該薬品３００を収納する薬品収納ボックス６００を管理することが可能となる。又、薬品収納ボックス６００はアンテナ６２０，６３０と対応付けられているため、薬品収納ボックス６００を特定することが可能である。そこで、薬品３００を種類ごと、医薬品卸ごと、製薬メーカーごと等に分けて複数の薬品収納ボックス６００に収納し、複数の薬品収納ボックス６００を薬品保冷庫１００に収納することによって、薬品３００及び当該薬品３００を収納する薬品収納ボックス６００を管理することも可能となる。このとき、薬品保冷庫１００の容積や形状に応じて、薬品収納ボックス６００の幅を適宜変更し、薬品保冷庫１００内の空間を有効に使用することが可能となる。又、薬品収納ボックス６００を収納する対象として、医療機関等に既設の薬品保冷庫１００を使用することも可能となる。
【００４７】
尚、本実施例では、アンテナ６３０を背面版６１３Ａの側面版６１２Ａ、６１３Ａで挟まれる面に取り付けた場合について説明したが、本発明はこれに限定されるものではなく、アンテナ６３０を背面版６１３Ｂの側面版６１２Ａ、６１３Ａで挟まれる面にも取り付けられる構成にしてもよい。この場合、第２収納部６１０Ｂを第１収納部６１０Ａから離れる方向（−Ｘ方向）或いは近づく方向（＋Ｘ方向）にスライドさせた後、アンテナ６３０を側面版６１２Ａ、６１３Ａで挟まれる面の略中央（背面版６１３Ａ、６１３Ｂの何れかの面）に取り付けることで、アンテナ６３０から発信される電波を薬品収納ボックス６００の幅方向（Ｘ軸に沿う方向）に万遍なく行き渡らせることができる。
【００４８】
＜第５実施例＞
図１０は、本実施形態に係る薬品収納ボックスの他の例を示す斜視図である。図１０において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００４９】
薬品収納ボックス７００は、管理対象の薬品３００を収納するためのボックスである。
【００５０】
薬品収納ボックス７００は、収納部７１０及びアンテナ７２０，７３０を含んで構成されている。
【００５１】
収納部７１０は、底面板７１１、側面板７１２，７１３、背面板７１４の合計４枚の平板で囲まれることによって形成される。底面板７１１の薬品３００が載置される面は、背面板７１４から遠ざかる（−Ｙ方向に向かう）につれて下向く（−Ｚ方向に向かう）傾斜面となっている。
【００５２】
収納部７１０は、例えば、樹脂材料を用いて底面板７１１、側面板７１２，７１３、背面板７１４が一体となるように金型成型によって形成されてもよい。或いは、収納部７１０は、例えば、樹脂材料を用いて底面板７１１、側面板７１２，７１３、背面板７１４を金型成型によって個別に形成した後、底面板７１１、側面板７１２，７１３、背面板７１４を接着剤等によって接着することによって形成されてもよい。収納部７１０は、収納部７１０内に収納されている薬品３００が内箱１２０内を循環する空気によって効果的に保冷されるように、底面板７１１、側面板７１２，７１３、背面板７１４のそれぞれに通気孔７１５を複数有している。
【００５３】
アンテナ７２０，７３０は、収納部７１０内に電波を発信することによって、薬品３００に貼付されているＩＣタグ３１０内のＩＣチップを起動し、薬品３００を示すＩＤ情報を受信する装置である。アンテナ７２０，７３０によって受信されたＩＤ情報は、後述する制御装置によって、薬品３００の入出庫時刻及び保冷温度を示す情報と紐付けて管理される。
【００５４】
アンテナ７２０は、平板形状を呈し、例えば、側面板７１２の側面板７１３と対向する面に取り付けられている。アンテナ７３０は、平板形状を呈し、背面板７１４の側面板７１２，７１３で挟まれる面に取り付けられている。アンテナ７２０の面（Ｙ軸及びＺ軸からなる面に沿う面）とアンテナ７３０の面（Ｘ軸及びＺ軸からなる面に沿う面）とは、垂直の位置関係を有している。
【００５５】
第２実施例の場合、アンテナ２２０，２３０の面とＩＣタグ３１０の面とが垂直の位置関係となるように、薬品３００が薬品収納ボックス２００に収納されてしまうと、アンテナ２２０，２３０から発信する電波がＩＣタグ３１０内のループコイルと鎖交しなくなって、アンテナ２２０，２３０はＩＣタグ３１０内のＩＣチップから薬品３００を示すＩＤ情報を正しく受信できなくなる虞がある。具体的には、ＩＣタグ３１０の面がＸ軸及びＹ軸からなる面に沿うように、薬品３００が薬品収納ボックス２００に収納されてしまうと、アンテナ２２０の面（Ｙ軸及びＺ軸からなる面に沿う面）及びアンテナ２３０の面（Ｘ軸及びＺ軸からなる面に沿う面）とＩＣタグ３１０の面（Ｘ軸及びＹ軸からなる面に沿う面）とが垂直の位置関係となるため、アンテナ２２０，２３０はＩＣタグ３１０内のＩＣチップから薬品３００を示すＩＤ情報を正しく受信できなくなる虞がある。例えば、薬品３００が直方体のケースに封入され、ＩＣタグ３１０がケースの何れかの面に貼付されるような場合、ＩＣタグ３１０の貼付面がケースの上面又は下面となるように薬品３００が収納されてしまうと、上記の問題は顕著となる。
【００５６】
そこで、底面板７１１の薬品３００が載置される面は、アンテナ７２０，７３０の面に対して垂直の位置関係とならないように、背面板７１４から遠ざかるにつれて徐々に下向く傾斜面となっている。これによって、薬品３００が如何なる方向を向いて収納されたとしても、ＩＣタグ３１０内のＩＣチップから薬品３００を示すＩＤ情報を正しく受信することが可能となる。
【００５７】
尚、底面板７１１の薬品３００が載置される面は、背面板７１４から遠ざかる（―Ｙ方向に向かう）につれて下向く（―Ｚ方向に向かう）傾斜面である代わりに、側面板７１２から遠ざかる（−Ｘ方向に向かう）につれて下向く（−Ｚ方向に向かう）傾斜面であってもよいし、側面板７１３から遠ざかる（＋Ｘ方向に向かう）につれて下向く（−Ｚ方向に向かう）傾斜面であってもよい。
【００５８】
＜第６実施例＞
図１１は、本実施形態に係る薬品収納ボックスの他の例を示す斜視図である。図１１において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。尚、第６実施例において、第２実施例と同一の構成については、同一の番号を記すとともに説明を省略する。
【００５９】
薬品収納ボックス４００は、収納部２１０に対して着脱自在に装着される天面板２５０を有している。
【００６０】
天面板２５０は、樹脂材料を用いて金型成型によって形成されてもよいし、電波を反射する金属板によって形成されてもよい。天面板２５０は、収納部２１０に装着された際に、収納部２１０内に収納されている薬品３００が内箱１２０内を循環する空気によって効果的に保冷されるように、通気孔２１５を複数有している。
【００６１】
天面板２５０を収納部２１０に取り付けることによって、収納部２１０内の通気を確保しつつ、収納部２１０内に収納されている薬品３００を保護することが可能となる。又、天面板２５０を収納部２１０から取り外すことによって、薬品３００を容易に搬入又は搬出することが可能となる。
【００６２】
尚、天面板２５０は、本実施形態に開示される全ての薬品収納ボックスに対して着脱可能である。
【００６３】
＜第７実施例＞
図１２は、本実施形態に係る薬品収納ボックスの他の例を示す分解斜視図である。図１３は、図１２に示す薬品収納ボックスを示す斜視図である。図１２及び図１３において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００６４】
薬品収納ボックス８００は、管理対象の薬品３００を収納するためのボックスである。
【００６５】
薬品収納ボックス８００は、収納部８１０、アンテナ８２０、仕切り板８３０を含んで構成されている。
【００６６】
収納部８１０は、底面板８１１、側面板８１２，８１３、背面板８１４の合計４枚の平板で囲まれることによって形成される。底面板８１１の薬品３００が載置される面は、仕切り板８３０を安定的に配置するための溝８１５を有している。
【００６７】
収納部８１０は、例えば、樹脂材料を用いて底面板８１１、側面板８１２，８１３、背面板８１４が一体となるように金型成型によって形成されてもよい。或いは、収納部８１０は、例えば、樹脂材料を用いて底面板８１１、側面板８１２，８１３、背面板８１４を金型成型によって個別に形成した後、底面板８１１、側面板８１２，８１３、背面板８１４を接着剤等によって接着することによって形成されてもよい。収納部８１０は、収納部８１０内に収納されている薬品３００が内箱１２０内を循環する空気によって効果的に保冷されるように、底面板８１１、側面板８１２，８１３、背面板８１４のそれぞれに通気孔８１６を複数有している。
【００６８】
アンテナ８２０は、収納部８１０内に電波を発信することによって、薬品３００に貼付されているＩＣタグ３１０内のＩＣチップを起動し、薬品３００を示すＩＤ情報を受信する装置である。アンテナ８２０によって受信されたＩＤ情報は、後述する制御装置によって、薬品３００の入出庫時刻及び保冷温度を示す情報と紐付けて管理される。
【００６９】
アンテナ８２０は、平板形状を呈し、例えば、側面板８１２の側面板８１３と対向する面に取り付けられている。
【００７０】
薬品収納ボックス８００に薬品３００を複数収納する場合、ＩＣタグ３１０同士が近距離で重なるような状態になってしまうと、ＩＣタグ３１０のループコイル間で電波の干渉が起こり、ＩＣタグ３１０内のＩＣチップから薬品３００を示すＩＤ情報を正しく受信できなくなる虞がある。
【００７１】
ここで、隣り合うＩＣタグ３１０の間の最短距離が一定以上の距離であれば、ＩＣタグ３１０内のＩＣチップから薬品３００を示すＩＤ情報を正しく受信することが可能となる。
【００７２】
仕切り板８３０は、隣り合うＩＣタグ３１０の間の最短距離が一定以上の距離となるように、収納部８１０を区画して薬品３００を仕切る板である。仕切り板８３０は、例えば、樹脂材料を用いて金型成型によって形成される。仕切り板８３０は、側面板８１２，８１３に対して平行となる１枚以上の平板と、背面板８１４に対して平行となる１枚以上の平板と、を組み合わせて形成されている。本実施形態では、仕切り板８３０は、側面板８１２，８１３に対して並行な２枚の平板と、背面板８１４に対して並行な２枚の平板と、を組み合わせて形成されている。底面板８１１の薬品３００が載置される面には、仕切り板８３０が底面板８１１上に安定的に配置されるように、仕切り板８３０の底面と嵌合する溝８１５が形成されている。
【００７３】
そして、底面板８１１上に仕切り板８３０を配置することによって、薬品収納ボックス８００に薬品３００が複数収納された場合でも、隣り合うＩＣタグ３１０の間の最短距離が一定以上に保たれるため、全てのＩＣタグ３１０内のＩＣチップから薬品３００を示すＩＤ情報を正しく受信することが可能となる。
【００７４】
＜第８実施例＞
図１４は、本実施形態に係る薬品収納ボックスの他の例を示す分解斜視図である。図１５は、図１４に示す薬品収納ボックスを示す斜視図である。図１４及び図１５において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００７５】
薬品収納ボックス９００は、管理対象の薬品３００を収納するためのボックスである。
【００７６】
薬品収納ボックス９００は、収納部９１０、アンテナ９２０、仕切り板９３０を含んで構成されている。
【００７７】
収納部９１０は、底面板９１１、側面板９１２，９１３、背面板９１４の合計４枚の平板で囲まれることによって形成される。底面板９１１の薬品３００が載置される面は、仕切り板９３０を安定的に配置するための溝９１５を有している。
【００７８】
収納部９１０は、例えば、樹脂材料を用いて底面板９１１、側面板９１２，９１３、背面板９１４が一体となるように金型成型によって形成されてもよい。或いは、収納部９１０は、例えば、樹脂材料を用いて底面板９１１、側面板９１２，９１３、背面板９１４を金型成型によって個別に形成した後、底面板９１１、側面板９１２，９１３、背面板９１４を接着剤等によって接着することによって形成されてもよい。収納部９１０は、収納部９１０内に収納されている薬品３００が内箱１２０内を循環する空気によって効果的に保冷されるように、底面板９１１、側面板９１２，９１３、背面板９１４のそれぞれに通気孔９１６を複数有している。
【００７９】
アンテナ９２０は、収納部９１０内に電波を発信することによって、薬品３００に貼付されているＩＣタグ３１０内のＩＣチップを起動し、薬品３００を示すＩＤ情報を受信する装置である。アンテナ９２０によって受信されたＩＤ情報は、後述する制御装置によって、薬品３００の入出庫時刻及び保冷温度を示す情報と紐付けて管理される。
【００８０】
アンテナ９２０は、平板形状を呈し、例えば、側面板９１２の側面板９１３と対向する面に取り付けられている。
【００８１】
第７実施例の場合、仕切り板８３０によって仕切られる各区画は、予め定められた形状に固定されているため、様々な大きさの薬品３００を収納できなくなる虞がある。
【００８２】
仕切り板９３０は、隣り合うＩＣタグ３１０の間の最短距離が一定以上の距離となるように、収納部９１０を区画して薬品３００を仕切る板であって、収納するべき薬品３００の大きさに応じて各区画の大きさを変更することが可能な構造を呈している。仕切り板９３０は、側面板９１２，９１３に対して平行となる１枚以上の平板９３０Ａと、背面板９１４に対して平行となる１枚以上の平板９３０Ｂと、を組み合わせて形成されている。本実施形態では、仕切り板９３０は、側面板９１２，９１３に対して平行となる２枚の平板と、背面板９１４に対して平行となる２枚の平板と、を組み合わせて形成されている。平板９３０Ａは、底面板９１１とは対向しない側の面（＋Ｚ側の面）に長手方向に沿って短冊状の窪み９３１Ａを有している。又、平板９３０Ｂは、底面板９１１と対向する面（−Ｚ側の面）に長手方向に沿って短冊状の窪み９３１Ｂを有している。そして、収納するべき薬品３００の大きさに応じて、平板９３０Ｂの所定位置の窪み９３１Ｂを平板９３０Ａの所定位置の窪み９３１Ａに差し込むことによって、様々な大きさの区画を有する仕切り板９３０を形成することが可能となる。仕切り板９３０は、例えば、樹脂材料を用いて金型成型によって形成されてもよい。底面板９１１の薬品３００が載置される面には、仕切り板９３０が底面板９１１上に安定的に配置されるように、仕切り板９３０の底面と嵌合する溝９１５が形成されている。
【００８３】
そして、底面板９１１上に仕切り板９３０を配置することによって、様々な大きさの薬品３００が薬品収納ボックス９００内に複数収納されたとしても、隣り合うＩＣタグ３１０の間の最短距離が一定以上に保たれるため、全てのＩＣタグ３１０内のＩＣチップから薬品３００を示すＩＤ情報を正しく受信することが可能となる。
【００８４】
＜第９実施例＞
図１６は、本実施形態に係る薬品収納ボックスの他の例を示す斜視図である。図１６において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【００８５】
薬品収納ボックス１０００は、管理対象の薬品３００を収納するためのボックスである。
【００８６】
薬品収納ボックス１０００は、収納部１０１０、アンテナ１０２０，１０３０、トレイ１０４０を含んで構成されている。
【００８７】
収納部１０１０は、底面板１０１１、側面板１０１２，１０１３、背面板１０１４の合計４枚の平板で囲まれることによって形成される。側面板１０１２は、収納部１０１０に対してトレイ１０４０を出し入れするための長孔１０１５を、側面板１０１２の長手方向（Ｙ軸の方向）に沿って有している。同様に、側面板１０１３は、収納部１０１０に対してトレイ１０４０を出し入れするための長孔１０１６を、側面板１０１３の長手方向（Ｙ軸の方向）に沿って有している。
【００８８】
収納部１０１０は、例えば、樹脂材料を用いて底面板１０１１、側面板１０１２，１０１３、背面板１０１４が一体となるように金型成型によって形成されてもよい。或いは、収納部１０１０は、例えば、樹脂材料を用いて底面板１０１１、側面板１０１２，１０１３、背面板１０１４を金型成型によって個別に形成した後、底面板１０１１、側面板１０１２，１０１３、背面板１０１４を接着剤等によって接着することによって形成されてもよい。
【００８９】
トレイ１０４０は、薬品３００が載置される水平板である。トレイ１０４０は、底面板１０１１上を側面板１０１２，１０１３の長手方向（Ｙ軸の方向）に沿って移動するように、収納部１０１０に取り付けられている。具体的には、トレイ１０４０の一方の側面（Ｙ軸及びＺ軸からなる面に沿う＋Ｘ側の面）は、長孔１０１５を介してローラ１０１７と接続され、トレイ１０４０の他方の側面（Ｙ軸及びＺ軸からなる面に沿う−Ｘ側の面）は、長孔１０１６を介してローラ１０１８と接続されている。そして、ローラ１０１７，１０１８が長孔１０１５，１０１６を案内されることによって、トレイ１０４０は収納部１０１０に対して出し入れすることが可能となる。
【００９０】
収納部１０１０は、収納部１０１０内に収納されている薬品３００が内箱１２０内を循環する空気によって効果的に保冷されるように、底面板１０１１、側面板１０１２，１０１３、背面板１０１４のそれぞれに通気孔１０１９を複数有している。又、トレイ１０４０も、通気孔１０１９を複数有している。
【００９１】
アンテナ１０２０，１０３０は、収納部１０１０内に電波を発信することによって、薬品３００に貼付されているＩＣタグ３１０内のＩＣチップを起動し、薬品３００を示すＩＤ情報を受信する装置である。アンテナ１０２０，１０３０によって受信されたＩＤ情報は、後述する制御装置によって、薬品３００の入出庫時刻及び保冷温度を示す情報と紐付けて管理される。
【００９２】
アンテナ１０２０は、平板形状を呈し、例えば、側面板１０１２の側面板１０１３と対向する面に取り付けられている。アンテナ１０３０は、平板形状を呈し、背面板１０１４の側面板１０１２，１０１３で挟まれる面に取り付けられている。アンテナ１０２０の面（Ｙ軸及びＺ軸からなる面に沿う面）とアンテナ１０３０の面（Ｘ軸及びＺ軸からなる面に沿う面）とは、垂直の位置関係を有している。
【００９３】
そして、第２実施例の効果に加えて、収納部１０１０を内箱１２０内に収納したまま、トレイ１０４０を出し入れできるため、薬品３００を入庫又は出庫する作業を容易とすることが可能となる。
【００９４】
＜第１０実施例＞
図１７は、本実施形態に係る薬品収納ボックスの他の例を示す斜視図である。図１７において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。尚、第１０実施例において、第９実施例と同一の構成については、同一の番号を記すとともに説明を省略する。
【００９５】
薬品収納ボックス１１００は、管理対象の薬品３００を収納するためのボックスである。
【００９６】
薬品収納ボックス１１００は、収納部１０１０、アンテナ１０２０，１０３０、トレイ１０５０を含んで構成されている。
【００９７】
トレイ１０５０は、薬品３００が載置される傾斜板である。具体的には、トレイ１０５０の薬品３００が載置される面（＋Ｚ側の面）は、背面板１０１４から遠ざかる（−Ｙ方向に向かう）につれて下向く（−Ｚ方向に向かう）傾斜面となっている。トレイ１０５０は、底面板１０１１上を側面板１０１２，１０１３の長手方向（Ｙ軸の方向）に沿って移動するように、収納部１０１０に取り付けられている。具体的には、トレイ１０５０の一方の側面（Ｙ軸及びＺ軸からなる面に沿う＋Ｘ側の面）は、長孔１０１５を介してローラ１０１７と接続され、トレイ１０５０の他方の側面（Ｙ軸及びＺ軸からなる面に沿う−Ｘ側の面）は、長孔１０１６を介してローラ１０１８と接続されている。そして、ローラ１０１７，１０１８が長孔１０１５，１０１６を案内されることによって、トレイ１０５０は収納部１０１０に対して出し入れすることが可能となる。
【００９８】
トレイ１０５０は、収納部１０１０内に収納されている薬品３００が内箱１２０内を循環する空気によって効果的に保冷されるように、収納部１０１０と同様に通気孔１０１９を複数有している。
【００９９】
そして、第５実施例の効果に加えて、収納部１０１０を内箱１２０内に収納したまま、トレイ１０５０を出し入れできるため、薬品３００を入庫又は出庫する作業を容易とすることが可能となる。
【０１００】
尚、トレイ１０５０の薬品３００が載置される面は、背面板１０１４から遠ざかる（―Ｙ方向に向かう）につれて下向く（―Ｚ方向に向かう）傾斜面である代わりに、側面板１０１２から遠ざかる（−Ｘ方向に向かう）につれて下向く（−Ｚ方向に向かう）傾斜面であってもよいし、側面板１０１３から遠ざかる（＋Ｘ方向に向かう）につれて下向く（−Ｚ方向に向かう）傾斜面であってもよい。
【０１０１】
＜第１１実施例＞
図１８は、本実施形態に係る薬品収納ボックスの他の例を示す分解斜視図である。図１９は、図１８に示す薬品収納ボックスを示す斜視図である。図１８及び図１９において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。尚、第１１実施例において、第７実施例及び第９実施例と同一の構成については、同一の番号を記すとともに説明を省略する。
【０１０２】
薬品収納ボックス１２００は、管理対象の薬品３００を収納するためのボックスである。
【０１０３】
薬品収納ボックス１２００は、収納部１０１０、アンテナ１０２０、トレイ１０６０、仕切り板８３０を含んで構成されている。
【０１０４】
トレイ１０６０は、薬品３００が載置される水平板である。トレイ１０６０の薬品３００が載置される面は、仕切り板８３０を安定的に配置するための溝１０６１を有している。トレイ１０６０は、底面板１０１１上を側面板１０１２，１０１３の長手方向（Ｙ軸の方向）に沿って移動するように、収納部１０１０に取り付けられている。具体的には、トレイ１０６０の一方の側面（Ｙ軸及びＺ軸からなる面に沿う＋Ｘ側の面）は、長孔１０１５を介してローラ１０１７と接続され、トレイ１０６０の他方の側面（Ｙ軸及びＺ軸からなる面に沿う−Ｘ側の面）は、長孔１０１６を介してローラ１０１８と接続されている。そして、ローラ１０１７，１０１８が長孔１０１５，１０１６を案内されることによって、トレイ１０６０は収納部１０１０に対して出し入れすることが可能となる。
【０１０５】
トレイ１０６０は、収納部１０１０内に収納されている薬品３００が内箱１２０内を循環する空気によって効果的に保冷されるように、収納部１０１０と同様に通気孔１０１９を複数有している。
【０１０６】
そして、第７実施例の効果に加えて、収納部１０１０を内箱１２０内に収納したまま、トレイ１０６０を出し入れできるため、薬品３００を入庫又は出庫する作業を容易とすることが可能となる。
【０１０７】
＜第１２実施例＞
図２０は、本実施形態に係る薬品収納ボックスの他の例を示す分解斜視図である。図２１は、図２０に示す薬品収納ボックスを示す斜視図である。図２０及び図２１において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。尚、第１２実施例において、第８実施例及び第９実施例と同一の構成については、同一の番号を記すとともに説明を省略する。
【０１０８】
薬品収納ボックス１３００は、管理対象の薬品３００を収納するためのボックスである。
【０１０９】
薬品収納ボックス１３００は、収納部１０１０、アンテナ１０２０、トレイ１０７０、仕切り板９３０を含んで構成されている。
【０１１０】
トレイ１０７０は、薬品３００が載置される水平板である。トレイ１０７０の薬品３００が載置される面は、仕切り板９３０を安定的に配置するための溝１０７１を有している。
【０１１１】
トレイ１０７０は、底面板１０１１上を側面板１０１２，１０１３の長手方向（Ｙ軸の方向）に沿って移動するように、収納部１０１０に取り付けられている。具体的には、トレイ１０７０の一方の側面（Ｙ軸及びＺ軸からなる面に沿う＋Ｘ側の面）は、長孔１０１５を介してローラ１０１７と接続され、トレイ１０７０の他方の側面（Ｙ軸及びＺ軸からなる面に沿う−Ｘ側の面）は、長孔１０１６を介してローラ１０１８と接続されている。そして、ローラ１０１７，１０１８が長孔１０１５，１０１６を案内されることによって、トレイ１０７０は収納部１０１０に対して出し入れすることが可能となる。
【０１１２】
トレイ１０７０は、収納部１０１０内に収納されている薬品３００が内箱１２０内を循環する空気によって効果的に保冷されるように、収納部１０１０と同様に通気孔１０１９を複数有している。
【０１１３】
そして、第８実施例の効果に加えて、収納部１０１０を内箱１２０内に収納したまま、トレイ１０７０を出し入れできるため、薬品３００を入庫又は出庫する作業を容易とすることが可能となる。
【０１１４】
＜第１３実施例＞
図２３は、本実施形態に係る薬品収納ボックスの一例であって、薬品収納ボックスの幅を狭めた様子を示す斜視図である。図２４は、図２３の薬品収納ボックスを上面から底面板へ向かって眺めた様子を示す平面図である。図２５は、図２３の薬品収納ボックスを底面板から上面へ向かって眺めた様子を示す平面図である。図２６は、図２３の薬品収納ボックスを正面から背面へ向かって眺めた様子を示す平面図である。
【０１１５】
一方、図２７は、本実施形態に係る薬品収納ボックスの一例であって、薬品収納ボックスの幅を広げた様子を示す斜視図である。図２８は、図２７の薬品収納ボックスを上面から底面板へ向かって眺めた様子を示す平面図である。図２９は、図２７の薬品収納ボックスを底面板から上面へ向かって眺めた様子を示す平面図である。図３０は、図２７の薬品収納ボックスを正面から背面へ向かって眺めた様子を示す平面図である。
【０１１６】
尚、図２３〜図３０において、Ｘ軸は薬品収納ボックスの幅方向に沿う軸であり、Ｙ軸は薬品収納ボックスの奥行方向に沿う軸であり、Ｚ軸は薬品収納ボックスの高さ方向に沿う軸である。
【０１１７】
薬品収納ボックス１４００は、管理対象の薬品３００を収納するためのボックスであって、内箱１２０内の容積や内箱１２０内に収納するべき薬品収納ボックスの数等に応じて、幅（Ｘ軸に沿う方向）を変更することが可能な構成となっている。
【０１１８】
薬品収納ボックス１４００は、収納部１５００及びアンテナ１６１０，１６２０を含んで構成されている。
【０１１９】
収納部１５００は、底面板１５１０、側面板１５２０，１５３０、背面板１５４０の合計４枚の平板で囲まれることによって形成されている。収納部１５００は、例えば、樹脂材料を用いて底面板１５１０、側面板１５２０，１５３０、背面板１５４０を金型成型によって個別に形成した後、側面板１５２０，１５３０が底面板１５１０及び背面板１５４０に対して収納部１５００の幅方向（Ｘ軸に沿う方向）に沿ってスライドするように結合されていることとする。尚、底面板１５１０及び背面板１５４０のみは、金型成型によって一体に形成してもよい。
【０１２０】
底面板１５１０は、複数の嵌入溝１５１１，１５１２及び摺動孔１５１３を有している。
【０１２１】
複数の嵌入溝１５１１は、側面板１５２０を収納部１５００の幅方向に沿ってスライドさせるための短冊状の溝であって、底面板１５１０の側面板１５２０がスライド自在に結合される側（＋Ｘ側）の端に沿って形成されている。一方、複数の嵌入溝１５１２は、側面板１５３０を収納部１５００の幅方向に沿ってスライドさせるための短冊状の溝であって、底面板１５１０の側面板１５３０がスライド自在に結合される側（−Ｘ側）の端に沿って形成されている。
【０１２２】
摺動孔１５１３は、側面板１５２０，１５３０が収納部１５００の幅方向に沿ってスライドすることに伴って、２つのリンク片１７１１，１７１２を収納部１５００の奥行方向（Ｙ軸に沿う方向）に沿って摺動させるための長孔であって、底面板１５１０の奥行方向（Ｙ軸に沿う方向）に沿って側面板１５２０，１５３０の間の中間位置に形成されている。
【０１２３】
背面板１５４０は、複数の嵌入溝１５４１、１５４２、窪み１５４３、規制リブ１５４４を有し、底面板１５１０と一体に結合されている。
【０１２４】
複数の嵌入溝１５４１は、側面板１５２０を収納部１５００の幅方向に沿ってスライドさせるための短冊状の溝であって、背面板１５４０の側面板１５２０がスライド自在に結合される側（＋Ｘ側）の端に沿って形成されている。一方、複数の嵌入溝１５４２は、側面板１５３０を収納部１５００の幅方向に沿ってスライドさせるための短冊状の溝であって、背面板１５４０の側面板１５３０がスライド自在に結合される側（−Ｘ側）の端に沿って形成されている。
【０１２５】
窪み１５４３は、平板形状のアンテナ１６２０を嵌入可能な窪んだ形状を呈し、背面板１５４０の複数の嵌入溝１５４１，１５４２に挟まれる底面板１５１０側（−Ｙ側）の面に形成されている。ここで、窪み１５４３の深さ（Ｙ軸に沿う方向の長さ）は、アンテナ１６２０の厚み（Ｙ軸に沿う方向の長さ）よりも長く設計されている。よって、アンテナ１６２０の底面板１５１０側（−Ｙ側）のアンテナ面が背面板１５４０の底面板１５１０側（−Ｙ側）の面よりも奥まるように、アンテナ１６２０は背面板１５４０に取り付けられる。
【０１２６】
規制リブ１５４４は、薬品３００が背面板１５４０に接触しないように薬品３００の背面板１５４０側（＋Ｙ側）への移動を規制する長尺片であって、底面板１５１０及び背面板１５４０で挟まれる直角の角部において収納部１５００の幅方向に沿って一体に形成されている。規制リブ１５４４の形状は、薬品３００の背面板１５４０側への移動を規制できる形状であれば如何なる形状であってもよい。例えば、規制リブ１５４４の露出面は、背面板１５４０から遠ざかるにつれて底面板１５１０に近づく傾斜面であってもよいし、或いは、底面板１５１０及び背面板１５４０に沿う２つの面からなる段差面であってもよい。
【０１２７】
側面板１５２０は、複数の嵌入片１５２１，１５２２、複数の通気孔１５２３、窪み１５２４，１５２７、規制リブ１５２５，１５２６、補強リブ１５２８を有している。
【０１２８】
複数の嵌入片１５２１は、側面板１５２０を収納部１５００の幅方向に沿ってスライドさせるための短冊状の片であって、底面板１５１０の複数の嵌入溝１５１１に嵌入するように、側面板１５２０の底面板１５１０側（−Ｚ側）の端から底面板１５１０に向かって突出して形成されている。同様に、複数の嵌入片１５２２は、側面板１５２０を収納部１５００の幅方向に沿ってスライドさせるための短冊状の片であって、背面板１５４０の複数の嵌入溝１５４１に嵌入するように、側面板１５２０の背面板１５４０側（＋Ｙ側）の端から背面板１５４０に向かって突出して形成されている。尚、複数の嵌入片１５２１，１５２２を複数の嵌入溝１５１１，１５４１に対して収納部１５００の幅方向に沿って出し入れすることができるように、例えば、複数の嵌入片１５２１，１５２２の外周面及び複数の嵌入溝１５１１，１５４１の内周面に案内片や案内溝を設けてもよい。
【０１２９】
複数の通気孔１５２３は、内箱１２０内を循環する空気によって薬品３００を効果的に保冷するための孔であって、側面板１５２０の窪み１５２４を挟む両側（＋Ｙ側、−Ｙ側）に設けられている。
【０１３０】
窪み１５２４は、平板形状のアンテナ１６１０を嵌入可能な窪んだ形状を呈し、側面板１５２０の複数の通気孔１５２３に挟まれる底面板１５１０側（−Ｘ側）の面に形成されている。ここで、窪み１５２４の深さ（Ｘ軸に沿う方向の長さ）は、アンテナ１６１０の厚み（Ｘ軸に沿う方向の長さ）よりも長く設計されている。よって、アンテナ１６１０の底面板１５１０側（―Ｘ側）のアンテナ面が側面板１５２０の底面板１５１０側（―Ｘ側）の面よりも奥まるように、アンテナ１６１０は側面板１５２０に取り付けられる。
【０１３１】
規制リブ１５２５は、薬品３００が側面板１５２０に接触しないように薬品３００の側面板１５２０側（＋Ｘ側）への移動を規制する長尺片であって、底面板１５１０及び側面板１５２０で挟まれる直角の角部において収納部１５００の奥行方向に沿って一体に形成されている。規制リブ１５２５の形状は、薬品３００の側面板１５２０側への移動を規制できる形状であれば如何なる形状であってもよい。例えば、規制リブ１５２５の露出面は、側面板１５２０から遠ざかるにつれて底面板１５１０に近づく傾斜面であってもよいし、或いは、底面板１５１０及び側面板１５２０に沿う２つの面からなる段差面であってもよい。
【０１３２】
同様に、規制リブ１５２６は、薬品３００が背面板１５４０及び側面板１５２０に接触しないように薬品３００の背面板１５４０側（＋Ｙ側）及び側面板１５２０側（＋Ｘ側）への移動を規制する長尺片であって、背面板１５４０及び側面板１５２０で挟まれる直角の角部において収納部１５００の高さ方向に沿って一体に形成されている。規制リブ１５２６の形状は、薬品３００の背面板１５４０側及び側面板１５２０側への移動を規制できる形状であれば如何なる形状であってもよい。例えば、規制リブ１５２６の露出面は、側面板１５２０から遠ざかるにつれて背面板１５４０に近づく傾斜面であってもよいし、或いは、背面板１５４０及び側面板１５２０に沿う２つの面からなる段差面であってもよい。
【０１３３】
窪み１５２７は、側面板１５２０を軽量化するために、側面板１５２０の窪み１５２４を挟む両側（＋Ｙ側、−Ｙ側）において、窪み１５２４が形成される面とは反対側（＋Ｘ側）の複数の通気孔１５２３と対向する面に形成されている。
【０１３４】
補強リブ１５２８は、側面板１５２０の強度を高めるために、窪み１５２７内に一体に設けられている。
【０１３５】
側面板１５３０は、複数の嵌入片１５３１，１５３２、複数の通気孔１５３３、規制リブ１５３４，１５３５、窪み１５３６、補強リブ１５３７を有している。
【０１３６】
複数の嵌入片１５３１は、側面板１５３０を収納部１５００の幅方向に沿ってスライドさせるための短冊状の片であって、底面板１５１０の複数の嵌入溝１５１２に嵌入するように、側面板１５２０の底面板１５１０側（―Ｚ側）の端から底面板１５１０に向かって突出して形成されている。同様に、複数の嵌入片１５３２は、側面板１５３０を収納部１５００の幅方向に沿ってスライドさせるための短冊状の片であって、背面板１５４０の複数の嵌入溝１５４２に嵌入するように、側面板１５２０の背面板１５４０側（＋Ｙ側）の端から背面板１５４０に向かって突出して形成されている。尚、複数の嵌入片１５３１，１５３２を複数の嵌入溝１５１２，１５４２に対して収納部１５００の幅方向に沿って出し入れすることができるように、例えば、複数の嵌入片１５３１，１５３２の外周面及び複数の嵌入溝１５１２，１５４２の内周面に案内片や案内溝を設けてもよい。
【０１３７】
複数の通気孔１５３３は、内箱１２０内を循環する空気によって薬品３００を効果的に保冷するための孔であって、側面板１５３０の面全体に亘って設けられている。
【０１３８】
規制リブ１５３４は、薬品３００が側面板１５２０に接触しないように薬品３００の側面板１５３０側（ーＸ側）への移動を規制する長尺片であって、底面板１５１０及び側面板１５３０で挟まれる直角の角部において収納部１５００の奥行方向に沿って一体に形成されている。規制リブ１５３４の形状は、薬品３００の側面板１５３０側への移動を規制できる形状であれば如何なる形状であってもよい。例えば、規制リブ１５３４の露出面は、側面板１５３０から遠ざかるにつれて底面板１５１０に近づく傾斜面であってもよいし、或いは、底面板１５１０及び側面板１５３０に沿う２つの面からなる段差面であってもよい。
【０１３９】
同様に、規制リブ１５３５は、薬品３００が背面板１５４０及び側面板１５３０に接触しないように薬品３００の背面板１５４０側（＋Ｙ側）及び側面板１５３０側（ーＸ側）への移動を規制する長尺片であって、背面板１５４０及び側面板１５３０で挟まれる直角の角部において収納部１５００の高さ方向に沿って一体に形成されている。規制リブ１５３５の形状は、薬品３００の背面板１５４０側及び側面板１５３０側への移動を規制できる形状であれば如何なる形状であってもよい。例えば、規制リブ１５３５の露出面は、側面板１５３０から遠ざかるにつれて背面板１５４０に近づく傾斜面であってもよいし、或いは、背面板１５４０及び側面板１５３０に沿う２つの面からなる段差面であってもよい。
【０１４０】
窪み１５３６は、側面板１５３０を軽量化するために、側面板１５３０の側面板１５２０とは対向しない側（−Ｘ側）の面全体に亘って形成されている。
【０１４１】
補強リブ１５３７は、側面板１５３０の強度を高めるために、窪み１５３６内に一体に設けられている。補強リブ１５３７は、側面板１５３０の強度を高めることができる形状であれば如何なる形状であってもよい。例えば、補強リブ１５３７は、格子形状であってもよい。
【０１４２】
４つのリンク片１７１３〜１７１６は、側面板１５２０，１５３０を収納部１５００の幅方向にスライドさせる際に、底面板１５１０の上側（＋Ｚ側）に設けられているリンク片１７１１，１７１２と連動するように、底面板１５１０の下側（−Ｚ側）に設けられる長尺状の片である。ここで、リンク片１７１１は背面板１５４０に近い側（＋Ｙ側）に設けられ、リンク片１７１２は背面板１５４０から遠い側（−Ｙ側）に設けられている。リンク片１７１３，１７１４の一端は、リンク片１７１１の背面板１５４０から遠い側（−Ｙ側）の一端に対して摺動孔１５１３を介して回動自在に結合されている。リンク片１７１３の他端は、側面板１５２０の複数の嵌入片１５２１のうち背面板１５４０に最も近い嵌入片１５２１の先端に対して回動自在に結合されている。リンク片１７１４の他端は、側面板１５３０の複数の嵌入片１５３１のうち背面板１５４０に最も近い嵌入片１５３１の先端に対して回動自在に結合されている。一方、リンク片１７１５，１７１６の一端は、リンク片１７１２の背面板１５４０に近い側（＋Ｙ側）の一端に対して摺動孔１５１３を介して回動自在に結合されている。リンク片１７１５の他端は、側面板１５２０の複数の嵌入片１５２１のうち背面板１５４０から最も遠い嵌入片１５２１の先端に対して回動自在に結合されている。リンク片１７１６の他端は、側面板１５３０の複数の嵌入片１５３１のうち背面板１５４０から最も遠い嵌入片１５３１の先端に対して回動自在に結合されている。これによって、側面板１５２０，１５３０は、アンテナ１６２０に対して等距離に、収納部１５００の幅を広げる方向にスライドすることが可能となる。
【０１４３】
アンテナ１６１０、１６２０は、収納部１５００内に電波を発信することによって、薬品３００に貼付されているＩＣタグ３１０内のＩＣチップを起動し、薬品３００を示すＩＤ情報を受信する装置である。アンテナ１６１０、１６２０によって受信されたＩＤ情報は、後述する制御装置によって、薬品３００の入出庫時刻及び保冷温度を示す情報と紐付けて管理される。アンテナ１６１０、１６２０は、ネジ等を用いることによって、側面板１５２０及び背面板１５４０に対して奥まるように取り付けられている。
【０１４４】
以上説明したように、アンテナ１６１０，１６２０が側面板１５２０及び背面板１５４０に対して奥まるように取り付けられるため、アンテナ１６１０，１６２０は、薬品３００と接触することなく、ＩＣタグ３１０から薬品３００を示すＩＤ情報を確実に受信することが可能となる。
【０１４５】
又、規制リブ１５２５，１５２６，１５３４，１５３５，１５４４を設けたため、
アンテナ１６１０，１６２０及び側面板１５２０，１５３０、背面板１５４０は、薬品３００に貼付けられたＩＣタグ３１０と接触することなく、ＩＣタグ３１０から薬品３００を示すＩＤ情報を確実に受信することが可能となる。尚、この場合、アンテナ１６１０，１６２０は側面板１５２０及び背面板１５４０と面一に取り付けられてもよい。
【０１４６】
又、側面板１５２０，１５３０は、補強リブ１５２８，１５３７を設けることによって軽量化が図られるとともに強度が高まっているため、底面板１５１０及び背面板１５４０に対して確実にスライドすることが可能となる。
【０１４７】
又、収納部１５００の幅を広げた場合、複数の嵌入片１５２１，１５２２，１５３１，１５３２が複数の嵌入孔１５１１，１５４１，１５１２，１５４２から遠ざかることによって開口する孔が通気孔となるため、収納部１５００にとって一層良好な通気を確保することが可能となる。
【０１４８】
＝＝＝薬品管理システム＝＝＝
図２２は、本実施形態の薬品収納ボックスが用いられる薬品管理システムの一例を示すブロック図である。尚、説明の便宜上、第１〜第１３実施例の薬品収納ボックスをＢＸと称し、第１〜第１３実施例のアンテナをＡＴＮと称することとする。
【０１４９】
薬品管理システム１は、薬品保冷庫１００内に収納された薬品収納ボックスＢＸ内に収納されている薬品３００を示すＩＤ情報を、薬品保冷庫１００内の保冷温度情報及び薬品３００の入出庫情報と紐付けて管理するシステムである。
【０１５０】
薬品管理システム１は、薬品保冷庫１００内の温度センサ１６０と、薬品収納ボックスＢＸに取り付けられているアンテナＡＴＮと、に対して、制御装置１７０を通信可能に接続することによって構成される。
【０１５１】
制御装置１７０は、入力部１７１、計時部１７２、制御部１７３、記憶部１７４、出力部１７５を含んで構成されている。
【０１５２】
入力部１７１は、温度センサ１６０から薬品保冷庫１００内の温度情報を入力するとともに、アンテナＡＴＮから薬品３００を示すＩＤ情報を入力する。
【０１５３】
計時部１７２は、現在時刻を計時する。
【０１５４】
制御部１７３は、アンテナＡＴＮから薬品３００を示すＩＤ情報を定期的に取得する。例えば、制御部１７３は、アンテナＡＴＮから薬品３００を示すＩＤ情報を初めて取得したとき、当該薬品３００が入庫したものと判断し、このときの現在時刻を当該薬品３００が入庫した時刻と見做す。又、制御部１７３は、アンテナＡＴＮから薬品３００を示すＩＤ情報を取得できなくなったとき、当該薬品３００が出庫したものと判断し、このときの現在時刻を薬品３００が出庫した時刻と見做す。そして、制御部１７３は、薬品３００のＩＤ情報を、薬品保冷庫１００内の温度情報及び薬品３００の入出庫時刻の情報と紐付ける処理を行う。
【０１５５】
記憶部１７４は、制御部１７３によって紐付けられた情報を記憶する。
【０１５６】
出力部１７５は、外部からの指示に従って、紐付けられた情報を出力する。
【０１５７】
尚、制御部１７３の機能は、記憶部１７４に記憶されているプログラムを実行することによって実現される。
【０１５８】
このようにして、薬品３００と、当該薬品３００が収納される薬品収納ボックスＢＸを管理することが可能となる。
【０１５９】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【０１６０】
１  薬品管理システム
１００  薬品保冷庫
１１０  外箱
１２０  内箱
１３０  機械室
１４０  扉
１４１  ガラス窓
１５０  コネクタ
１６０  温度センサ
１７０  制御装置
１７１  入力部
１７２  計時部
１７３  制御部
１７４  記憶部
１７５  出力部
２００，４００，５００，６００，７００，８００，９００，１０００，１１００，１２００，１３００，１４００  薬品収納ボックス
２１０，６１０Ａ，６１０Ｂ，７１０，８１０，９１０，１０１０，１５００  収納部
２１１，６１１Ａ，６１１Ｂ，７１１，８１１，９１１，１０１１，１５１０  底面板
２１２，２１３，６１２Ａ，６１２Ｂ，７１２，７１３，８１２，８１３，９１２，９１３，１０１２，１０１３，１５２０，１５３０  側面板
２１４，６１３Ａ，６１３Ｂ，７１４，８１４，９１４，１０１４，１５４０  背面板
２１５，６１６Ａ，６１６Ｂ，７１５，８１６，９１６，１０１９，１５２３，１５３３  通気孔
２２０，２３０，７２０，７３０，１０２０，１０３０，１６１０，１６２０  アンテナ
２２１，２３１  接続線
２４０  遮蔽板
２４１，９３１Ａ，９３１Ｂ  窪み
２５０  天面板
３００  薬品
３１０  ＩＣタグ
６１４Ａ，６１５Ａ，８１５，９１５，１０６１，１０７１  溝
８３０  仕切り板
９３０  仕切り板
９３０Ａ，９３０Ｂ  平板
１０１５，１０１６  長孔
１０１７，１０１８  ローラ
１０４０，１０５０，１０６０，１７００  トレイ
１７１１〜１７１６  リンク片
【図１】
2020026602.tif 000003
【図２】
2020026602.tif 000004
【図３】
2020026602.tif 000005
【図４】
2020026602.tif 000006
【図５】
2020026602.tif 000007
【図６】
2020026602.tif 000008
【図７】
2020026602.tif 000009
【図８】
2020026602.tif 000010
【図９】
2020026602.tif 000011
【図１０】
2020026602.tif 000012
【図１１】
2020026602.tif 000013
【図１２】
2020026602.tif 000014
【図１３】
2020026602.tif 000015
【図１４】
2020026602.tif 000016
【図１５】
2020026602.tif 000017
【図１６】
2020026602.tif 000018
【図１７】
2020026602.tif 000019
【図１８】
2020026602.tif 000020
【図１９】
2020026602.tif 000021
【図２０】
2020026602.tif 000022
【図２１】
2020026602.tif 000023
【図２２】
2020026602.tif 000024
【図２３】
2020026602.tif 000025
【図２４】
2020026602.tif 000026
【図２５】
2020026602.tif 000027
【図２６】
2020026602.tif 000028
【図２７】
2020026602.tif 000029
【図２８】
2020026602.tif 000030
【図２９】
2020026602.tif 000031
【図３０】
2020026602.tif 000032
【国際調査報告】
2020026602.tif 000033
2020026602.tif 000034
2020026602.tif 000035
2020026602.tif 000036